(57)【特許請求の範囲】
【請求項１】
画像形成装置に着脱可能なカートリッジにおいて、
像担持体と、
前記像担持体を回転可能に支持する枠体と、
第一シャッタ部材及び第二シャッタ部材を備え、前記第一シャッタ部材及び前記第二シャッタ部材が前記像担持体の表面を覆う閉状態となる閉位置と、前記第一シャッタ部材及び前記第二シャッタ部材が互いに重なるように折り畳まれて前記像担持体の表面を露出させる開状態となる開位置と、の間を移動可能であるように構成されたシャッタユニットと、
を有し、
前記第一シャッタ部材は、
前記像担持体の表面を保護するための第一保護部と、
前記枠体に対して回動可能に支持される第一回動部と、
前記第二シャッタ部材を回動可能に支持する第二回動部と、
を有し、
前記第二シャッタ部材は、
前記像担持体の表面を保護するための第二保護部と、
前記第二回動部と係合し、前記第一シャッタ部材に回動可能に支持される第三回動部と、
を有し、
前記第一シャッタ部材は、前記シャッタユニットが前記開位置と前記閉位置との間を移動する間において、前記第二シャッタ部材の前記第一シャッタ部材に対する回動可能な範囲を規制する期間があるように構成された規制部を有することを特徴とするカートリッジ。
【請求項２】
前記規制部は、前記第二シャッタ部材が開位置から閉位置に移動する方向の回動可能な範囲を規制することを特徴とする請求項１に記載のカートリッジ。
【請求項３】
前記第一シャッタ部材を前記枠体に対して閉位置に付勢する第一付勢手段を有し、
前記第二シャッタ部材は、自重により前記像担持体の表面に沿って開位置と閉位置との間を移動することを特徴とする請求項１又は２に記載のカートリッジ。
【請求項４】
前記第一シャッタ部材を前記枠体に対して閉位置に付勢する第一付勢手段と、
前記シャッタユニットが前記開位置と前記閉位置との間を移動する間において、前記第二シャッタ部材が前記第一シャッタ部材と重なるように回動する方向に前記第二シャッタ部材を前記第一シャッタ部材に対して付勢する第二付勢手段と、を有することを特徴とする請求項１又は２に記載のカートリッジ。
【請求項５】
画像形成装置に着脱可能なカートリッジにおいて、
像担持体と、
前記像担持体を回転可能に支持する枠体と、
第一シャッタ部材及び第二シャッタ部材を備え、前記第一シャッタ部材及び前記第二シャッタ部材が前記像担持体の表面を覆う閉状態となる閉位置と、前記第一シャッタ部材及び前記第二シャッタ部材が互いに重なるように折り畳まれて前記像担持体の表面を露出させる開状態となる開位置と、の間を移動可能であるように構成されたシャッタユニットと、
を有し、
前記第一シャッタ部材は、
前記像担持体の表面を保護するための第一保護部と、
前記枠体に対して回動可能に支持される第一回動部と、
前記第二シャッタ部材を回動可能に支持する第二回動部と、
を有し、
前記第二シャッタ部材は、
前記像担持体の表面を保護するための第二保護部と、
前記第二回動部と係合し、前記第一シャッタ部材に回動可能に支持される第三回動部と、
を有し、
前記第一シャッタ部材は、前記シャッタユニットが前記開位置と前記閉位置との間を移動する間において、前記第二シャッタ部材が前記第一シャッタ部材と重なるように回動する方向に前記第二シャッタ部材を前記第一シャッタ部材に対して付勢する付勢手段を有することを特徴とするカートリッジ。
【請求項６】
前記第一シャッタ部材を前記枠体に対して閉位置に付勢する他の付勢手段を有することを特徴とする請求項５に記載のカートリッジ。
【請求項７】
前記第一シャッタ部材は、前記シャッタユニットを開閉させるために画像形成装置の本体に設けられた開閉部と当接する当接部を有することを特徴とする請求項１〜６のいずれか１項に記載のカートリッジ。
【請求項８】
前記シャッタユニットが開位置のとき、前記第二シャッタ部材の先端部の表面と前記像担持体の表面との接線と、前記第二回動部の回動中心と前記第二シャッタ部材の先端部の中心とを結ぶ直線とにより形成される前記シャッタユニットが閉じる方向下流側の角度が鋭角に設定されることを特徴とする請求項１〜７のいずれか１項に記載のカートリッジ。
【請求項９】
前記枠体は、前記第二シャッタ部材の先端部が開閉動作時に接触して該第二シャッタ部材を閉じる方向にガイドするガイド部を有し、
前記シャッタユニットが開状態のとき、前記第二シャッタ部材の先端部の表面と前記ガイド部の表面との接線と、前記第二回動部の回動中心と前記第二シャッタ部材の先端部の中心とを結ぶ直線とにより形成される前記シャッタユニットが閉じる方向下流側の角度が鋭角に設定されることを特徴とする請求項１〜７のいずれか１項に記載のカートリッジ。
【請求項１０】
前記第一回動部は、前記枠体の外周付近に配置されることを特徴とする請求項１〜９のいずれか１項に記載のカートリッジ。
【請求項１１】
前記像担持体の表面を帯電する帯電手段と、
前記像担持体の表面をクリーニングするクリーニング手段と、
を有することを特徴とする請求項１〜１０のいずれか１項に記載のカートリッジ。
【請求項１２】
前記像担持体の表面に現像剤を供給する現像手段を有することを特徴とする請求項１１に記載のカートリッジ。
【請求項１３】
請求項１〜１２のいずれか１項に記載のカートリッジを着脱可能な画像形成装置であって、
前記像担持体の表面にトナー像を形成する画像形成手段を有することを特徴とする画像形成装置。
【発明の詳細な説明】
【技術分野】
【０００１】
本発明は、画像形成装置の本体に着脱可能なカートリッジ及び画像形成装置に関するものである。
【０００２】
電子写真画像形成プロセスを用いて記録材に画像を形成する画像形成装置が知られている。画像形成装置としては、例えば、電子写真複写機、或いは、レーザービームプリンタ、ＬＥＤ（Light Emitting Diode；発光ダイオード）プリンタ等の電子写真プリンタ、更には、ファクシミリ装置及びワードプロセッサ等が含まれる。
【０００３】
カートリッジとは、像担持体となる電子写真感光ドラム（以下、「感光ドラム」という）、または、この感光ドラムに作用する画像形成プロセス手段（例えば、帯電ローラ等）の少なくとも一つをカートリッジ化したものである。カートリッジは、画像形成装置の本体に対して着脱可能に構成される。画像形成装置の本体とは、カートリッジを除いた画像形成装置の残りの部分をいう。
【背景技術】
【０００４】
従来、画像形成装置においては、感光ドラム及び該感光ドラムに作用する画像形成プロセス手段を一体的にカートリッジ化し、このカートリッジを画像形成装置の本体に着脱可能とするカートリッジ方式が採用されている。
【０００５】
このカートリッジ方式によれば、画像形成装置のメンテナンスをサービスマンによらず使用者自身で行うことができるため操作性を向上させることができる。そのためカートリッジ方式は画像形成装置において広く用いられている。
【０００６】
ここで、画像形成装置の本体に装着する前のカートリッジでは、感光ドラムの表面を覆って保護するためのシャッタ部材が設けられたものが提案されている。
【０００７】
このシャッタ部材は、カートリッジを画像形成装置の本体に着脱動作を行うことによって開閉動作が行われる。このため画像形成装置の本体を小型化するためにシャッタ部材をコンパクトに収納する技術が提案されている。
【０００８】
シャッタ部材をコンパクトに収納する技術としては、特許文献１のようにシート状のシャッタを用いるものがある。
【０００９】
剛体からなるシャッタ部材としては、特許文献２のようにシャッタ部材と、該シャッタ部材をカートリッジ枠体に回動可能に支持するアーム部材とを有して構成されるものがある。
【００１０】
特許文献３には、二枚のシャッター部材を有して構成されたドラムシャッタが記載されている。この構成では、感光ドラムの表面を露出させる開状態において、二枚のシャッタ部材は重なりあった状態となる。また、アーム部材も必要ない。
【先行技術文献】
【特許文献】
【００１１】
【特許文献１】特開２００４−１７０７１９号公報
【特許文献２】特開平１０−１２３９１２号公報
【特許文献３】特開２００５−３１６３５９号公報
【発明の概要】
【発明が解決しようとする課題】
【００１２】
しかしながら、特許文献１では、より強固に感光ドラムの表面の保護を必要とする場合、シート状のシャッタではなく剛体からなるシャッタ部材により構成されることが望ましい。
【００１３】
また、特許文献２では、アーム部材の移動範囲を確保するための空間が必要であり、シャッタ部材自体もコンパクトに畳まれる構成ではなかった。
【００１４】
また、特許文献３では、二枚のシャッター部材は、それぞれがカートリッジ枠体に回動可能に支持されている。また、第一シャッタ部材と第二シャッタ部材とは相互に支持されている。このため開閉動作中において二枚のシャッタ部材のそれぞれがカートリッジ枠体の外側へ回動する構成となっている。
【００１５】
本発明は前記課題を解決するものであり、その目的とするところは、開状態のシャッタユニットをコンパクトに収納できるカートリッジを提供するものである。
【課題を解決するための手段】
【００１６】
前記目的を達成するための本発明に係るカートリッジの代表的な構成は、画像形成装置に着脱可能なカートリッジにおいて、像担持体と、前記像担持体を回転可能に支持する枠体と、第一シャッタ部材及び第二シャッタ部材を備え、前記第一シャッタ部材及び前記第二シャッタ部材が前記像担持体の表面を覆う閉状態となる閉位置と、前記第一シャッタ部材及び前記第二シャッタ部材が互いに重なるように折り畳まれて前記像担持体の表面を露出させる開状態となる開位置と、の間を移動可能であるように構成されたシャッタユニットと、を有し、前記第一シャッタ部材は、前記像担持体の表面を保護するための第一保護部と、前記枠体に対して回動可能に支持される第一回動部と、前記第二シャッタ部材を回動可能に支持する第二回動部と、を有し、前記第二シャッタ部材は、前記像担持体の表面を保護するための第二保護部と、前記第二回動部と係合し、前記第一シャッタ部材に回動可能に支持される第三回動部と、を有し、前記第一シャッタ部材は、前記シャッタユニットが前記開位置と前記閉位置との間を移動する間において、前記第二シャッタ部材の前記第一シャッタ部材に対する回動可能な範囲を規制する期間があるように構成された規制部を有することを特徴とする。
【発明の効果】
【００１７】
上記構成によれば、開状態のシャッタユニットをコンパクトに収納できる。
【図面の簡単な説明】
【００１８】
【図１】本発明に係るカートリッジを装着した画像形成装置の構成を示す断面説明図である。
【図２】カートリッジにおいてシャッタユニットが閉状態の構成を示す斜視説明図である。
【図３】カートリッジにおいてシャッタユニットが閉状態の構成を示す断面説明図である。
【図４】カートリッジの構成を示す分解斜視図である。
【図５】（ａ）はカートリッジにおいてシャッタユニットのみを分解した様子を示す分解斜視図である。（ｂ）は（ａ）の部分拡大図である。
【図６】カートリッジにおいてシャッタユニットが開状態の構成を示す斜視説明図である。
【図７】カートリッジにおいてシャッタユニットが開状態の構成を示す断面説明図である。
【図８】（ａ），（ｂ）はカートリッジを画像形成装置の本体に装着する過程を説明する断面説明図である。
【図９】（ａ）〜（ｃ）はカートリッジを画像形成装置の本体に装着する過程を説明する断面説明図である。
【図１０】（ａ）〜（ｄ）はカートリッジにおいてシャッタユニットが開状態から閉状態に移動する過程を説明する断面説明図である。
【図１１】シャッタユニットが開状態から閉状態に移動する過程において第二シャッタ部材の先端部が像担持体の表面に接し始める様子を示す図である。
【図１２】第１、第２比較例と、本実施形態との比較を示す断面説明図である。
【図１３】第一シャッタ部材が枠体に回動可能に支持される第一回動部が該枠体の外周付近に配置された様子を示す断面説明図である。
【図１４】第二シャッタ部材の先端部が開閉動作時に接触して該第二シャッタ部材を閉じる方向にガイドするガイド部の一例を示す図である。
【図１５】第二シャッタ部材が第一シャッタ部材に設けた第二付勢手段により付勢されて像担持体の表面に沿って開状態と閉状態との間を移動する様子を説明する断面説明図である。
【発明を実施するための形態】
【００１９】
図により本発明に係るカートリッジ及びこれを着脱可能とした画像形成装置の一実施形態を具体的に説明する。尚、以下の実施形態に記載されている構成部品の機能、材質、形状、その相対配置等は一例であり、本発明の範囲をそれらのみに限定する趣旨のものではない。
【００２０】
以下の説明において、カートリッジの長手方向とは、像担持体となる感光ドラムの回転軸線方向と定義する。また、カートリッジの短手方向とは、長手方向と直交する方向であり、且つ、記録材の搬送方向と一致している。また、カートリッジに関して上方とは、該カートリッジを画像形成装置の本体へ装着した状態での上方であり、下方とは同状態での下方をいうものとする。
【００２１】
＜画像形成装置＞
図１を用いて画像形成装置１の構成について説明する。図１に示す画像形成装置１は、該画像形成装置１と通信可能に接続されたパーソナルコンピュータ等の外部機器からの画像情報に応じて記録材Ｐに現像剤（トナー）による画像を形成する。記録材Ｐとしては、紙等のシート、ＯＨＴ（OverHead Transparency）シート（ＯＨＰ（OverHead Projector）に使用される透明なシート）、布等が適用される。像担持体となる感光ドラム２の表面に形成されるトナー像は、以下の画像形成手段を用いた電子写真画像形成プロセスによって形成される。
【００２２】
像担持体となる感光ドラム２が図１の矢印Ａ方向に回転することで、該感光ドラム２の表面は、帯電手段としての帯電ローラ３によって一様に帯電される。この感光ドラム２の表面上に像露光手段となるレーザスキャナ４から画像情報に応じたレーザ光４ａを照射して感光ドラム２の表面上に画像情報に応じた静電潜像を形成する。感光ドラム２の表面上に形成された静電潜像は、現像剤担持体となる現像ローラ22の表面に担持されたトナーｔによって現像することでトナー像を形成する。
【００２３】
一方、トナー像の形成と同期して、給送カセット６にセットした記録材Ｐをピックアップローラ７及びこれに圧接する圧接部材９により一枚ずつ分離給送する。そして、記録材Ｐを搬送ガイド８に沿って転写手段としての転写ローラ10と感光ドラム２との転写ニップ部Ｇへと搬送する。
【００２４】
転写ローラ10には図示しない転写バイアス電源により転写バイアス電圧が印加される。これにより感光ドラム２の表面に形成されたトナー像が転写ニップ部Ｇを通る記録材Ｐに転写される。トナー像の転写を受けた記録材Ｐは搬送ガイド11により定着手段となる定着装置12へと搬送される。定着装置12は、駆動ローラ12ａと、ヒータ12ｂを内蔵する定着ローラ12ｃとを有して構成される。定着ローラ12ｃと駆動ローラ12ａとで形成される定着ニップ部Ｈを通過する記録材Ｐに加熱及び加圧して該記録材Ｐに転写されたトナー像を定着させる。その後、記録材Ｐは排出ローラ13により搬送され、排出トレイ14へと排出される。
【００２５】
＜カートリッジ＞
次に図２〜図４を用いて画像形成装置１本体に着脱可能なカートリッジ５の構成について説明する。図２はカートリッジ５の構成を示す斜視図である。図３はカートリッジ５の構成を示す断面説明図である。図２及び図３に示すように、本実施形態のカートリッジ５は、感光体ユニット30と、現像ユニット20（現像装置）とを有して構成されている。
【００２６】
感光体ユニット30は、像担持体となる感光ドラム２と、該感光ドラム２の表面を一様に帯電する帯電手段となる帯電ローラ３と、該感光ドラム２の表面をクリーニングするクリーニング手段となるクリーニングブレード31等を有する。現像ユニット20は、感光ドラム２の表面に現像剤（トナー）を供給する現像手段であって現像剤担持体となる現像ローラ22等を有する。
【００２７】
図２に示すように、感光体ユニット30のクリーニング枠体32には感光ドラム２が回転可能に支持されている。感光ドラム２は、クリーニング枠体32の長手方向（図２の左右方向）両端部にそれぞれ設けられた駆動側ドラム軸受37と非駆動側ドラム軸受38とにより回転可能に軸支されている。
【００２８】
感光ドラム２の長手方向における駆動側端部（図２の左側端部）に設けられた駆動入力部２ａは、画像形成装置１本体内に設けられた図示しない駆動出力部と係合可能に設けられている。これにより画像形成装置１本体内に設けられた図示しない駆動源となるモータの回転駆動力が図示しない駆動出力部から駆動入力部２ａに伝達されて感光ドラム２が図１の矢印Ａ方向に回転する。
【００２９】
これにより感光ドラム２は画像形成動作に応じて図３の矢印Ａ方向へ回転駆動される。尚、図２に示す駆動入力部２ａは、実質的には三角柱を微小に捩った形状で構成される。画像形成装置１本体との駆動伝達部の形状は、図２に示す駆動入力部２ａの形状に限定される必要はない。
【００３０】
図３に示すように、感光ドラム２の外周には、帯電ローラ３、クリーニングブレード31等が配置されている。帯電ローラ３は感光ドラム２の表面に対して接触して従動回転できるようにクリーニング枠体32に回転可能に支持されている。クリーニングブレード31は、ブレード支持部31ａに一体成形、或いは接着されたクリーニング部材31ｂにより構成される。クリーニング部材31ｂを感光ドラム２の表面に当接させて該感光ドラム２の表面に残留したトナーｔを掻き取る。感光ドラム２の表面から掻き落とされたトナーｔは廃トナー収納部32ａに収納される。
【００３１】
一方、現像ユニット20は、現像枠体24で形成されたトナー収容部24ａにトナーｔを収容している。現像ユニット20には、感光ドラム２の表面上に形成された静電潜像にトナーｔを供給して可視画像を形成するための現像剤担持体となる現像ローラ22を有する。更に、トナーｔに摩擦帯電による電荷を付与して現像ローラ22の表面上にトナー層を形成する現像剤層厚規制手段となる現像ブレード23等を有する。
【００３２】
図４は、カートリッジ５を感光体ユニット30と現像ユニット20とに分解した状態を示す。現像ユニット20は感光体ユニット30に吊られた構成となっている。具体的には、カートリッジ５の長手方向における駆動側（図４の左側）では、クリーニング枠体32の貫通穴からなる支持穴32ｅに結合軸41を挿入し、現像ユニット20に設けられた駆動側現像軸受33の支持穴33ｅに挿入する。これにより結合軸41を中心に回動可能に支持される。
【００３３】
また、カートリッジ５の長手方向における非駆動側（図４の右側）では、クリーニング枠体32の貫通穴からなる支持穴32ｆに結合軸42を挿入し、現像ユニット20に設けられた非駆動側現像軸受34の支持穴34ｆに挿入する。これにより結合軸42を中心に回動可能に支持される。
【００３４】
図４に示すように、クリーニング枠体32の支持穴32ｅ，32ｆは回動軸線Ｘ上（同一直線上）に設けられる。現像ユニット20は、感光体ユニット30に対して回動軸線Ｘを中心に回動可能に設けられる。
【００３５】
図４に示すように、感光体ユニット30と現像ユニット20との間には付勢手段として圧縮バネからなる加圧バネ44が設けられている。図４に示すように、加圧バネ44の一端は、現像枠体24に固定されている。加圧バネ44は、図４の矢印Ｂ方向に押圧力を発生させる。図３に示すように、感光体ユニット30と現像ユニット20とを結合させたとき、一対の加圧バネ44のそれぞれの他端は、クリーニング枠体32の被押圧面32ｇを押圧する構成となっている。
【００３６】
図３に示すように、現像ユニット20は、感光体ユニット30に対して回動軸線Ｘを中心に回動可能に支持されている。そのため加圧バネ44の図３の矢印Ｂ方向の押圧力によって現像ユニット20は感光体ユニット30に対して図３に示す回動軸線Ｘを中心に図３の矢印Ｙ方向に回動する構成となっている。結果として、図３に示すように、加圧バネ44の押圧力により現像ユニット20に回転可能に支持された現像ローラ22の表面が感光体ユニット30に回転可能に支持された感光ドラム２の表面に当接した構成となっている。
【００３７】
図１に示すように、カートリッジ５が画像形成装置１本体内に装着される。すると、画像形成装置１本体に設けられた図示しない電気接点とカートリッジ５に設けられた図示しない電気接点とが電気的に接続される。画像形成時には、画像形成装置１本体に設けられた図示しない帯電バイアス電源から帯電ローラ３に帯電バイアス電圧が印加される。更に、図示しない現像バイアス電源から現像ローラ22に現像バイアス電圧が印加される。
【００３８】
＜シャッタユニット＞
次に図２〜図10を用いてシャッタユニット50の構成について説明する。図５（ａ）はカートリッジ５からシャッタユニット50を分解した状態を示す。図５（ｂ）は図５（ａ）の部分拡大図である。
【００３９】
シャッタユニット50は、クリーニング枠体32に対して回動可能に支持される。そして、図２及び図３に示すように、感光ドラム２の表面上の被保護面２ｃを覆う閉状態と、図６及び図７に示すように、該感光ドラム２の表面上の被保護面２ｃを露出させる開状態とを取り得る。
【００４０】
本実施形態のシャッタユニット50は、板状の第一シャッタ部材51と、第二シャッタ部材52とを有する。更に、第一シャッタ部材51をクリーニング枠体32に対して閉状態に付勢する第一付勢手段となる捩りコイルバネからなるシャッタバネ53等を有して構成されている。
【００４１】
図５（ａ），（ｂ）に示すように、第一シャッタ部材51の長手方向（図５（ａ），（ｂ）の左右方向）両端部には、クリーニング枠体32に回動可能に支持される第一回動部となる駆動側係合部51ａと、非駆動側係合部51ｂとが設けられている。駆動側係合部51ａと、非駆動側係合部51ｂとはクリーニング枠体32と係合し、該クリーニング枠体32に移動可能に支持される。
【００４２】
具体的には、駆動側係合部51ａは、クリーニング枠体32に設けられた駆動側係合部32ｈと係合する。また、非駆動側係合部51ｂは、クリーニング枠体32に設けられた非駆動側係合部32ｉと係合する構成になっている。
【００４３】
図５（ａ）に示すように、クリーニング枠体32に設けられた駆動側係合部32ｈ及び非駆動側係合部32ｉは、それぞれ円筒形状で構成される。一方、図５（ａ），（ｂ）に示すように、第一シャッタ部材51に設けられた駆動側係合部51ａは、駆動側係合部32ｈが挿通される穴を有する係合部である。非駆動側係合部51ｂは、一部に非駆動側係合部32ｉを挿入し得る開口を有したＵ字形状の係合部からなる。
【００４４】
図５（ａ）に示すように、クリーニング枠体32に設けられた駆動側係合部32ｈ及び非駆動側係合部32ｉは、回動軸線Ｑ２上（同一直線上）に設けられている。また、第一シャッタ部材51に設けられた駆動側係合部51ａと非駆動側係合部51ｂとは、回動軸線Ｑ１上（同一直線上）に設けられている。
【００４５】
図６〜図10に示すように、第一シャッタ部材51がクリーニング枠体32に組み込まれた状態では、図５（ａ）に示す回動軸線Ｑ１と回動軸線Ｑ２とが一致する。以下、第一シャッタ部材51がクリーニング枠体32に組み込まれて図５（ａ）に示す回動軸線Ｑ１と回動軸線Ｑ２とが一致した状態の回動軸線を回動軸線Ｑという。
【００４６】
図７〜図９に示すように、第一シャッタ部材51は、クリーニング枠体32に対して回動軸線Ｑを中心に回動可能に支持されている。また、第一シャッタ部材51は、図３に示すように、感光ドラム２の表面上の被保護面２ｃを保護する第一保護部51ｇを有する。
【００４７】
更に、図８及び図９に示すように、画像形成装置１本体内に設けられたガイド溝19ａの壁面からなる開閉部19ｂと当接係合し得る当接部51ｈを有している。当接部51ｈは開閉部19ｂと当接係合して第一シャッタ部材51をクリーニング枠体32に対して相対移動させてシャッタユニット50を開閉させる。
【００４８】
図５（ａ）に示すように、第一シャッタ部材51には、第二回動部となる係合部51ｃ〜51ｆが設けられている。係合部51ｃ〜51ｆは、第二シャッタ部材52に設けられ、該第一シャッタ部材51に回動可能に支持される第三回動部となる係合部52ｃ〜52ｆとそれぞれ係合して第二シャッタ部材52を回動可能に支持する。
【００４９】
第二シャッタ部材52に設けられた第三回動部となる係合部52ｃ〜52ｆは、第一シャッタ部材51に設けられた第二回動部となる係合部51ｃ〜51ｆに係合して第二シャッタ部材52が第一シャッタ部材51に移動可能に支持される。
【００５０】
図５（ａ）に示すように、第一シャッタ部材51に設けられる係合部51ｃ〜51ｆは、一部に開口を有するＵ字形状の係合部で構成される。一方、第二シャッタ部材52に設けられる係合部52ｃ〜52ｆは円筒形状で構成される。第一シャッタ部材51に設けられる係合部51ｃ〜51ｆは、回動軸線Ｒ１上（同一直線上）に設けられている。また、第二シャッタ部材52に設けられる係合部52ｃ〜52ｆは、回動軸線Ｒ２上（同一直線上）に設けられている。
【００５１】
図６〜図10に示すように、第二シャッタ部材52が第一シャッタ部材51に組み込まれた状態では回動軸線Ｒ１と回動軸線Ｒ２とが一致する。以下、第二シャッタ部材52が第一シャッタ部材51に組み込まれて回動軸線Ｒ１と回動軸線Ｒ２とが一致した状態の回動軸線を回動軸線Ｒという。第二シャッタ部材52は第一シャッタ部材51に対して回動軸線Ｒを中心に回動可能に支持されている。
【００５２】
第二シャッタ部材52は、図３に示すように、感光ドラム２の表面上の被保護面２ｃを保護する第二保護部52ｇを有している。図５（ａ），（ｂ）及び図10（ｃ），（ｄ）に示すように、第二シャッタ部材52は、第一シャッタ部材51に設けられた規制部51ｉにより回動軸線Ｒを中心に回動可能な範囲が規制されている。
【００５３】
図５（ａ），（ｂ）及び図10（ｃ），（ｄ）に示すように、第一シャッタ部材51に設けられた規制部51ｉと、第二シャッタ部材52に設けられた被規制部52ｉとが当接する。これにより第二シャッタ部材52は、第一シャッタ部材51に対して回動軸線Ｒを中心に図５（ａ）の矢印ｒ１方向への回動可能な範囲が規制される。
【００５４】
これにより第二シャッタ部材52は、図10（ｃ），（ｄ）に示すように、第一シャッタ部材51に設けられた規制部51ｉにより姿勢が規制されて感光ドラム２の外周面（表面）に沿って移動する。第二シャッタ部材52は、図10（ａ）に示す開状態と、図10（ｄ）に示す閉状態との間を移動する。これにより第二シャッタ部材52の先端部52ｈは、感光ドラム２の外周面（表面）に沿って図10（ａ）に示す開状態と、図10（ｄ）に示す閉状態との間を移動する。
【００５５】
一方、第二シャッタ部材52は、第一シャッタ部材51に対して回動軸線Ｒを中心に図５（ａ）の矢印ｒ２方向への回動は自由に行うことができる。第一シャッタ部材51の回動軸線Ｑを中心とした図５（ａ）の矢印ｑ１，ｑ２方向の回動動作に連動して第二シャッタ部材52は回動軸線Ｒを中心として第一シャッタ部材51に対して相対移動する。特に、第二シャッタ部材52は、回動軸線Ｒに対して規制部51ｉによる規制以外の規制を受けることなく、該第二シャッタ部材52の自重により位置が決まる。
【００５６】
第二シャッタ部材52は、自重により感光ドラム２の外周面（表面）に沿って図10（ａ）に示す開状態と、図10（ｄ）に示す閉状態との間を移動する。
【００５７】
第一シャッタ部材51とクリーニング枠体32との間には、図２に示す第一付勢手段となる捩りコイルバネからなるシャッタバネ53が設けられている。シャッタバネ53は、第一シャッタ部材51を回動軸線Ｑを中心に５（ａ）の矢印ｑ２方向に回動させる方向に付勢力を作用させる。即ち、カートリッジ５が画像形成装置１本体に装着されていない状態では、第一シャッタ部材51は、シャッタバネ53の付勢力により回動軸線Ｑを中心に５（ａ）の矢印ｑ２方向に常時付勢されている。
【００５８】
これにより感光ドラム２の表面上の被保護面２ｃは、第一シャッタ部材51の第一保護部51ｇにより覆われて露出しないように保護されている。また、第一シャッタ部材51に対して回動軸線Ｒを中心に回動可能に係合した第二シャッタ部材52の第二保護部52ｇによっても感光ドラム２の表面上の被保護面２ｃが覆われて露出しないように保護されている。
【００５９】
第二シャッタ部材52は、第一シャッタ部材51の規制部51ｉにより回動軸線Ｒを中心に回動可能な範囲が規制されている。即ち、図10（ｃ），（ｄ）に示すように、第一シャッタ部材51の規制部51ｉに第二シャッタ部材52に設けられた被規制部52ｉが当接した状態では第二シャッタ部材52は回動軸線Ｒを中心にそれ以上、図５（ａ）の矢印ｒ１方向に回動することはない。
【００６０】
その結果、図３及び図10（ｄ）に示すように、第一シャッタ部材51の第一保護部51ｇ及び第二シャッタ部材52の第二保護部52ｇによって感光ドラム２の表面上の被保護面２ｃが露出ないように確実に保護することができる。図３及び図10（ｄ）に示すように、感光ドラム２の表面を覆って保護したときのカートリッジ５のシャッタユニット50の感光ドラム２に対する位置を閉状態と定義する。
【００６１】
また、図１、図７及び図10（ａ）に示すように、感光ドラム２の表面上の被保護面２ｃを露出させたときのカートリッジ５のシャッタユニット50の感光ドラム２に対する位置を開状態と定義する。即ち、シャッタユニット50は、感光ドラム２の表面上の被保護面２ｃを覆う閉状態と、感光ドラム２の表面上の被保護面２ｃを露出させる開状態とを取り得る構成とされる。
【００６２】
＜カートリッジ装着動作とシャッタユニットの開閉動作＞
図２及び図３に示すように、カートリッジ５が画像形成装置１本体に装着されていない状態では、シャッタユニット50によって感光ドラム２の表面上の被保護面２ｃが露出ないように保護されている。また、図１に示すように、カートリッジ５が画像形成装置１本体に装着された状態では、図６及び図７に示すように、シャッタユニット50が開いて感光ドラム２の表面上の被保護面２ｃが露出する。
【００６３】
次に、図８及び図９を用いてカートリッジ５を画像形成装置１本体に装着する動作に連動してシャッタユニット50が開く動作について説明する。図８（ａ），（ｂ）及び図９（ａ）〜（ｃ）は、カートリッジ５と、画像形成装置１本体内に設けられるカートリッジガイド19の一部とを示す断面説明図である。
【００６４】
画像形成装置１本体内に設けられるカートリッジガイド19のガイド溝19ａに対して、カートリッジ５の駆動側ドラム軸受37に設けられた被ガイド部37ａが係合する構成となっている。ガイド溝19ａと被ガイド部37ａとが係合した状態を保ちながら、カートリッジ５は図８（ａ），（ｂ）及び図９（ａ）〜（ｃ）の矢印Ｅ方向ヘ挿入される。
【００６５】
画像形成装置１本体内に設けられるカートリッジガイド19には、第一シャッタ部材51に設けられた当接部51ｈが当接する開閉部19ｂが設けられている。図８（ａ）は、カートリッジガイド19に対してカートリッジ５を装着し始めて、第一シャッタ部材51に設けられた当接部51ｈと、カートリッジガイド19に設けられた開閉部19ｂとが当接した状態を示す。このとき、シャッタユニット50は閉状態である。また、このときの回動軸線Ｑを中心とする第一シャッタ部材51の回動角度θ０は０°である。図８（ａ）に示すカートリッジ５の位置をβ０で示す。
【００６６】
図８（ｂ）は、カートリッジ５がカートリッジガイド19のガイド溝19ａに沿って図８（ａ）に示す位置β０から図８（ｂ）の矢印Ｅ方向に距離β１だけ移動した状態を示している。第一シャッタ部材51に設けられた当接部51ｈがカートリッジガイド19に設けられた開閉部19ｂに当接して力ｆを受ける。第一シャッタ部材51は、シャッタバネ53の付勢力に抗してクリーニング枠体32に対して回動軸線Ｑを中心に図８（ａ）に示す回動角度θ０から図５（ａ）及び図８（ｂ）の矢印ｑ１方向に回動角度θ１だけ回動した状態となる。このとき、第二シャッタ部材52は回動軸線Ｒを中心に自重によりぶら下がっている状態である。
【００６７】
図９（ａ）〜（ｃ）は、カートリッジ５がカートリッジガイド19のガイド溝19ａに沿って図８（ａ）に示す位置β０から矢印Ｅ方向にそれぞれ距離β２，β３，β４だけ移動した状態を示している。このとき、第一シャッタ部材51は、クリーニング枠体32に対して回動軸線Ｑを中心に図８（ａ）に示す回動角度θ０（＝０°）から図５（ａ）及び図９（ａ）〜（ｃ）の矢印ｑ１方向にそれぞれ回動角度θ２，θ３，θ４だけ回動した状態となる。
【００６８】
図９（ｃ）に示すように、シャッタユニット50が完全に開いた状態では、第一シャッタ部材51に設けられた当接部51ｈは、カートリッジガイド19に設けられた開閉部19ｂから離脱する。そして、第一シャッタ部材51に設けられた当接部51ｈは、カートリッジガイド19に設けられたガイド溝19ａの壁面に当接した状態となる。
【００６９】
このとき、シャッタユニット50は感光ドラム２の表面上の被保護面２ｃに対して開状態となって該感光ドラム２の表面上の被保護面２ｃが露出する。その後、シャッタユニット50が感光ドラム２に対して開いたままの状態で、カートリッジ５をカートリッジガイド19のガイド溝19ａに沿つて画像形成装置１本体内に装着していく。
【００７０】
図９（ｃ）に示すように、シャッタユニット50が完全に開いた状態からカートリッジ５が画像形成装置１本体内に装着完了した状態に至るまでの過程で第一、第二シャッタ部材51，52のクリーニング枠体32に対する相対移動は行なわれない。
【００７１】
図１は画像形成装置１本体に対してカートリッジ５の装着が完了した状態を示す。このとき、シャッタユニット50は、第一、第二シャッタ部材51，52がクリーニング枠体32の外周面に沿って重なった状態で折り畳まれて開状態となる。
【００７２】
＜第二シャッタ部材の回動軌跡＞
次に図10及び図12を用いてシャッタユニット50が図10（ａ）に示す開状態と、図10（ｄ）に示す閉状態との間を移動する際に、第二シャッタ部材52が感光ドラム２の外周面に沿って移動する回動軌跡について説明する。図10（ａ）はシャッタユニット50が開状態を示す。図10（ａ）に示す状態では、第二シャッタ部材52の先端部52ｈは自重により垂れ下がり感光ドラム２の外周面に沿う。
【００７３】
図10（ｂ）は、図10（ａ）に示す開状態からシャッタユニット50が閉まり始める状態を示す。図10（ｂ）に示す状態では、第二シャッタ部材52の先端部52ｈは自重により垂れ下がり感光ドラム２の外周面に沿う。また、第一シャッタ部材51の規制部51ｉは、第二シャッタ部材52の被規制部52ｉに接触していない。
【００７４】
図10（ｃ）に示す状態から更に図10（ｄ）に示す閉状態の方向へシャッタユニット50を移動する場合、第二シャッタ部材52の先端部52ｈが自重で鉛直方向にぶら下がっているだけでは感光ドラム２の外周面から離れてしまう。そのため図10（ｃ）に示す状態から更に図10（ｄ）に示す閉状態の方向へシャッタユニット50を移動する間は、第一シャッタ部材51の規制部51ｉと、第二シャッタ部材52の被規制部52ｉとが当接する。
【００７５】
これにより第二シャッタ部材52は、図10（ｃ），（ｄ）に示す回動軸線Ｒを中心に図５（ａ）の矢印ｒ１方向への回動が規制される。これにより第二シャッタ部材52の先端部52ｈは、図12（ｄ）に示すように、感光ドラム２の外周面に沿う移動軌跡Ｃ６をとる。
【００７６】
＜シャッタユニットを閉じる構成＞
図11はシャッタユニット50を図10（ａ）に示す開状態から、図10（ｄ）に示す閉状態に移動する過程において、第二シャッタ部材52の先端部52ｈが感光ドラム２の表面に接し始めるときの状態を示す。第一シャッタ部材51は図２に示すシャッタバネ53に付勢されることで、図５（ａ）に示す第一シャッタ部材51の第一回動部となる駆動側係合部51ａ及び非駆動側係合部51ｂ（回動軸線Ｑ）を中心として図５（ａ）の矢印ｑ２方向に回動する。
【００７７】
このとき第一シャッタ部材51の第二回動部となる係合部51ｃ〜51ｆは、図５（ａ）に示す第一シャッタ部材51の第一回動部となる駆動側係合部51ａ及び非駆動側係合部51ｂ（回動軸線Ｑ）を中心として図11に示す回動軌跡Ｋ上を移動する。これによりシャッタバネ53に付勢される第一シャッタ部材51は第二シャッタ部材52の第三回動部となる係合部52ｃ〜52ｆに図11に示す力Ｖを与える。この力Ｖにより第二シャッタ部材52の先端部52ｈは感光ドラム２の外周面に沿って図11の矢印Ｄ方向に動く必要がある。
【００７８】
本実施形態では、図11に示すように、シャッタユニット50が開状態のとき、第二シャッタ部材52の先端部52ｈの表面と、感光ドラム２の表面とを通る接線Ｊを考慮する。更に、第一シャッタ部材51の第二回動部となる係合部52ｃ〜52ｆの回動中心51ｊと、第二シャッタ部材52の先端部52ｈの中心52ｊとを結ぶ直線Ｉとを考慮する。そして、接線Ｊと、直線Ｉとにより形成されるシャッタユニット50が閉じる方向下流側（図11の矢印Ｄ方向下流側）の角度θ11が鋭角（θ11＜９０°）になるように設定する。
【００７９】
図11に示すように、第二シャッタ部材52の第三回動部となる係合部52ｃ〜52ｆがシャッタバネ53に付勢される第一シャッタ部材51により力Ｖを受ける。そのとき、該力Ｖは、第二シャッタ部材52の先端部52ｈに向かう方向の力Ｖｙと、該力Ｖｙと垂直方向の力Ｖｘとに分けることができる。
【００８０】
第二シャッタ部材52の先端部52ｈはシャッタバネ53に付勢される第一シャッタ部材51により直線Ｉ方向に力Ｖｙを受ける。更に、該力Ｖｙは、接線Ｊ方向の力Ｖｙｘと、感光ドラム２の回転中心２ｂへ向かう力Ｖｙｙに分けることができる。このとき、接線Ｊ方向の力Ｖｙｘは、第二シャッタ部材52の先端部52ｈが図11の矢印Ｄ方向へ働く力となる。これにより第二シャッタ部材52は閉状態へとスムーズに移動することが出来る。
【００８１】
＜シャッタユニットの回動軌跡＞
次に図12（ａ）〜（ｄ）を用いて第１、第２比較例のシャッタユニット60，70の回動軌跡と、本実施形態のシャッタユニット50の回動軌跡とを比較して説明する。図12（ａ）は、第１比較例として一枚のシャッタ部材62からなるシャッタユニット60の回動軌跡を示す断面説明図である。図12（ｂ），（ｃ）は、第２比較例として二枚の第一、第二シャッタ部材71，72からなるシャッタユニット70の回動軌跡を示す断面説明図である。図12（ｄ）は、本実施形態のシャッタユニット50の回動軌跡を示す断面説明図である。
【００８２】
＜第１比較例＞
先ず、図12（ａ）を用いて、第１比較例として一枚のシャッタ部材62からなるシャッタユニット60の回動軌跡について説明する。図12（ａ）に示すように、第１比較例のシャッタユニット60は、アーム部材61とシャッタ部材62とを有する。アーム部材61は、クリーニング枠体65に回動自在に支持される第一回動部61ａと、シャッタ部材62を回動自在に支持する第二回動部61ｃとを有する。
【００８３】
シャッタ部材62は、感光ドラム２の表面上の被保護面２ｃを保護する保護部62ｇと、アーム部材61に回動自在に支持される回動部62ｃを有する。図12（ａ）の実線で示すように、シャッタユニット60が閉状態においてシャッタ部材62により感光ドラム２の表面の被保護面２ｃが保護される。シャッタ部材62の保護部62ｇの感光ドラム２の外周面に沿った回転方向の長さをＬ１とする。シャッタ部材62のアーム部材61の感光ドラム２の外周面に沿った回転方向の長さをＬ２とする。
【００８４】
アーム部材61の長さＬ２は、保護部62ｇの長さＬ１よりも短くても良い。図12（ａ）に示すシャッタユニット60ではアーム部材61の長さＬ２を保護部62ｇの長さＬ１の半分の長さに設定している。これにより図12（ａ）の破線で示すように、シャッタユニット60が開状態において感光ドラム２の表面の被保護面２ｃを全て露出させることができる。
【００８５】
以下では、図12（ａ）に示すシャッタユニット60のアーム部材61の長さＬ２と、保護部62ｇの長さＬ１との関係を｛Ｌ２＝Ｌ１／２｝に設定した場合について説明する。
【００８６】
アーム部材61が図12（ａ）の実線で示す閉状態と、図12（ａ）の破線で示す開状態との間を移動する際は、第一回動部61ａを中心に回動するアーム部材61の先端側に設けられる第二回動部61ｃは図12（ａ）の破線で示す回動軌跡Ｃ１を描く。ここで、回動軌跡Ｃ１の半径α１は、アーム部材61の感光ドラム２の外周面に沿った回転方向の長さＬ２と同一となる（α１＝Ｌ２＝Ｌ１／２）。
【００８７】
次に、シャッタ部材62が図12（ａ）の実線で示す閉状態と、図12（ａ）の破線で示す開状態との間を移動する際は、シャッタ部材62の回動部62ｃは、アーム部材61の第二回動部61ｃと同じく図12（ａ）の破線で示す回動軌跡Ｃ１を描く。また、シャッタ部材62の先端部62ｈは、感光ドラム２の外周面に沿う軌跡Ｃ２を描く。
【００８８】
図12（ａ）に示す第１比較例において、シャッタユニット60の全体サイズは、図12（ａ）の実線で示す閉状態においては以下の通りである。感光ドラム２の外周面に沿った回転方向にアーム部材61とシャッタ部材62とを連続させた｛Ｌ１＋Ｌ２｝（＝Ｌ１×１．５）の長さが必要である。また、図12（ａ）の破線で示す開状態においては、アーム部材61とシャッタ部材62とが折り畳まれてシャッタ部材62の長さＬ１に格納される。
【００８９】
＜第２比較例＞
次に図12（ｂ），（ｃ）を用いて、第２比較例として二枚の第一、第二シャッタ部材71，72からなるシャッタユニット70の回動軌跡について説明する。図12（ｂ）に示すように、第２比較例のシャッタユニット70は、第一シャッタ部材71と、第二シャッタ部材72とを有する。第一シャッタ部材71は、感光ドラム２の表面上の被保護面２ｃを保護する保護部71ｇと、クリーニング枠体75に回動自在に支持される第一回動部71ａと、第二シャッタ部材72を回動自在に支持する円筒部71ｃとを有する。
【００９０】
第二シャッタ部材72は、感光ドラム２の表面上の被保護面２ｃを保護する保護部72ｇと、アーム部材72ｂを介してクリーニング枠体75に回動自在に支持される第一回動部72ａとを有する。更に、第一シャッタ部材71に設けられた円筒部71ｃが挿入されて摺動自在に支持されるスリット部72ｃとを有する。第二シャッタ部材72は、クリーニング枠体75の第二回動部75ｊに対して第一回動部72ａが嵌合することで回動自在に支持されている。
【００９１】
図12（ｂ），（ｃ）に示す第２比較例において、感光ドラム２の表面上の被保護面２ｃを覆う面積を減らすことなく、図12（ｃ）の実線で示す開状態のシャッタユニット70の収納容積を減少させる。図12（ｂ）の実線で示すように、シャッタユニット70が閉状態では第一シャッタ部材71と第二シャッタ部材72とは重なり合わない。図12（ｃ）の実線で示すように、シャッタユニット70が開状態では第一シャッタ部材71と第二シャッタ部材72とが重なり合うようにシャッタユニット70の開閉動作を行う。
【００９２】
シャッタユニット70の開閉動作を行うために、図12（ｂ）の実線で示すように、シャッタユニット70が閉状態においては、第一シャッタ部材71の先端部に設けられた円筒部71ｃは、第二シャッタ部材72の内周回部72ｋと重なった位置に配置される。
【００９３】
また、図12（ｃ）の実線で示すように、シャッタユニット70が開状態においては、第一シャッタ部材71の先端部に設けられた円筒部71ｃは、第二シャッタ部材72の外周回部72ｈと重なった位置に配置される。
【００９４】
更に、第二シャッタ部材72の第一回動部72ａは、シャッタユニット70が図12（ｂ）の実線で示す閉状態において、第一シャッタ部材71の第一回動部71ａと、該第一シャッタ部材71の第二回動部となる円筒部71ｃとの間に配置される。
【００９５】
図12（ｂ）の実線で示すように、シャッタユニット70が閉状態において、第一、第二シャッタ部材71，72により保護される感光ドラム２の表面上の被保護面２ｃのサイズは、図12（ａ）に示す第１比較例の被保護面２ｃのサイズと同一とする。
【００９６】
図12（ｂ）に示すように、第一シャッタ部材71の保護部71ｇの感光ドラム２の外周面に沿った回転方向の長さをＬ３、第二シャッタ部材72の保護部72ｇの感光ドラム２の外周面に沿った回転方向の長さをＬ４とする。保護部71ｇの長さＬ３と、保護部72ｇの長さＬ４と、図12（ａ）に示す第１比較例のアーム部材61の感光ドラム２の外周面に沿った回転方向の長さＬ２とを同一とすると、｛Ｌ３＝Ｌ４＝Ｌ２＝Ｌ１／２｝となる。
【００９７】
図12（ｂ），（ｃ）に示す第２比較例において、第一シャッタ部材71が図12（ｂ）の実線で示す閉状態と、図12（ｃ）の実線で示す開状態との間を移動する。その際は、該第一シャッタ部材71の先端側に設けられる円筒部71ｃは、図12（ｂ），（ｃ）に示す回動軌跡Ｃ３を描く。回動軌跡Ｃ３の半径α３は、第一シャッタ部材71の保護部71ｇの感光ドラム２の外周面に沿った回転方向の長さＬ３と同一となる（α３＝Ｌ３＝Ｌ１／２）。
【００９８】
図12（ｂ），（ｃ）に示すように、第二シャッタ部材72が図12（ｂ）の実線で示す閉状態と、図12（ｃ）の実線で示す開状態との間を移動する。その際は、第一回動部72ａを中心にアーム部材72ｂを介して回動する第二シャッタ部材72の外周回部72ｈは、図12（ｂ），（ｃ）に示す回動軌跡Ｃ４を描く。
【００９９】
第二シャッタ部材72の外周回部72ｈの回動軌跡Ｃ４の半径α４は、第二シャッタ部材72の保護部72ｇの感光ドラム２の外周面に沿った回転方向の長さＬ４にアーム部材72ｂの長さを加えたＬ５となる。従って、｛α４＝Ｌ５＞Ｌ４＝Ｌ１／２｝となる。
【０１００】
また、図12（ｂ），（ｃ）に示す第２比較例において、シャッタユニット70の全体サイズは、図12（ｂ）の実線で示す閉状態においては、感光ドラム２の外周面に沿った回転方向に｛Ｌ３＋Ｌ４｝（＝Ｌ１）の長さが必要である。また、図12（ｃ）の実線で示す開状態においては、第一、第二シャッタ部材71，72が折り畳まれて｛Ｌ３＝Ｌ４＝Ｌ１／２｝の長さで格納される。
【０１０１】
＜本実施形態のシャッタユニットの回動軌跡＞
次に図12（ｄ）を用いて本実施形態のシャッタユニット50の回動軌跡について説明する。第一シャッタ部材51と、第二シャッタ部材52とにより保護される感光ドラム２の表面上の被保護面２ｃのサイズは、図12（ａ）〜（ｃ）に示す被保護面２ｃのサイズと同一とする。
【０１０２】
図12（ｄ）に示す第一シャッタ部材51の第一保護部51ｇの感光ドラム２の外周面に沿った回転方向の長さをＬ６とする。また、第二シャッタ部材52の第二保護部52ｇの感光ドラム２の外周面に沿った回転方向の長さをＬ７とする。第一保護部51ｇの長さＬ６と、第二保護部52ｇの長さＬ７とを同一とすると、図12（ａ）に示すシャッタ部材62の保護部62ｇの感光ドラム２の外周面に沿った回転方向の長さＬ１を用いて｛Ｌ６＝Ｌ７＝Ｌ１／２｝となる。
【０１０３】
第一シャッタ部材51が図12（ｄ）の実線で示す閉状態と、図12（ｄ）の破線で示す開状態との間を移動する際は、該第一シャッタ部材51の先端側に設けられる第二回動部となる係合部51ｃ〜51ｆは回動軌跡Ｃ５を描く。回動軌跡Ｃ５の半径α５は、第一シャッタ部材51の第一保護部51ｇの感光ドラム２の外周面に沿った回転方向の長さＬ６となる（α５＝Ｌ６＝Ｌ１／２）。
【０１０４】
第二シャッタ部材52が図12（ｄ）の実線で示す閉状態と、図12（ｄ）の破線で示す開状態との間を移動する。その際は、該第二シャッタ部材52の第三回動部となる係合部52ｃ〜52ｆは、第一シャッタ部材51の第二回動部となる係合部51ｃ〜51ｆと同じ回動軌跡Ｃ５を描く。また、第二シャッタ部材52の先端部52ｈは、感光ドラム２の外周面に沿う移動軌跡Ｃ６を描く。
【０１０５】
また、本実施形態において、シャッタユニット50の全体サイズは、図12（ｄ）の実線で示す閉状態において、感光ドラム２の外周面に沿った回転方向において｛Ｌ６＋Ｌ７＝Ｌ１｝の長さが必要となる。また、図12（ｄ）の破線で示す開状態において、第一、第二シャッタ部材51，52がクリーニング枠体32の外周面に沿って折り畳まれて感光ドラム２の外周面に沿った回転方向において｛Ｌ６＝Ｌ１／２｝の長さで格納される。
【０１０６】
図12（ｄ）に示す本実施形態では、図12（ａ）に示す第１比較例の一枚のシャッタ部材62に対しては、閉状態と開状態でのシャッタユニット60の全体サイズよりもシャッタユニット50の全体サイズを小さくできる。
【０１０７】
更に、図12（ｂ），（ｃ）に示す第２比較例の二枚の第一、第二シャッタ部材71，72に対しては以下の通りである。第一回動部72ａを中心にアーム部材72ｂを介して回動する第二シャッタ部材72の外周回部72ｈの回動軌跡Ｃ４よりも図12（ｄ）に示す第二シャッタ部材52の先端部52ｈの移動軌跡Ｃ６を感光ドラム２の径方向に小さくできる。
【０１０８】
＜クリーニング枠体の回動部＞
図13に示すように、本実施形態では、クリーニング枠体32に設けられる駆動側係合部32ｈ及び非駆動側係合部32ｉは、感光体ユニット30の外周付近に配置される。これによりシャッタユニット50の第一シャッタ部材51の第一回動部となる駆動側係合部51ａ及び非駆動側係合部51ｂはクリーニング枠体32の外周付近に配置される。これによりシャッタユニット50の回動軌跡のカートリッジ５の外側への拡大を抑えることができる。
【０１０９】
本実施形態のカートリッジ５によれば、第一シャッタ部材51と、第二シャッタ部材52とからなるシャッタユニット50により感光ドラム２の表面上の被保護面２ｃを覆うことができる。シャッタユニット50が感光ドラム２の表面上の被保護面２ｃを露出させる開状態と、感光ドラム２の表面上の被保護面２ｃを覆う閉状態との間を移動する。その際において、カートリッジ５を画像形成装置１本体内にコンパクトに収納できる。
【０１１０】
＜他の実施形態＞
シャッタユニット50をスムーズに閉じる構成において、前記実施形態では、図11に示すように、第二シャッタ部材52の先端部52ｈが感光ドラム２の表面に接する構成について説明した。他に、第二シャッタ部材52の先端部52ｈが接触する箇所としては以下の箇所が適用出来る。
【０１１１】
図14に示すように、感光体ユニット30のクリーニング枠体32に第二シャッタ部材82の先端部82ｈが開閉動作時に接触して該第二シャッタ部材82を閉じる方向（図14の矢印Ｄ方向）にガイドするガイド部30ｈを設けた場合について説明する。
【０１１２】
図14は、シャッタユニット80を開状態から閉状態に移動する動作を示す。図14に示すように、シャッタユニット80が開状態のとき、第二シャッタ部材82の先端部82ｈがガイド部30ｈに接触してガイドされている状態を考慮する。その際において、第二シャッタ部材82の先端部82ｈの表面と、ガイド部30ｈの表面との接線Ｏを考慮する。更に、第一シャッタ部材81に設けられ、第二シャッタ部材82を回動可能に支持する第二回動部81ｃの回動中心81ｊと、第二シャッタ部材82の先端部82ｈの中心82ｊとを結ぶ直線Ｎを考慮する。そして、接線Ｏと直線Ｎとにより形成されるシャッタユニット80が閉じる方向（図14の矢印Ｄ方向）下流側の角度θ12が鋭角（θ12＜９０°）に設定される。
【０１１３】
図14に示す第二シャッタ部材82の第一シャッタ部材81に回動可能に支持される第三回動部82ｃがシャッタバネ53により付勢される第一シャッタ部材81により力Ｖを受ける。そのとき、該力Ｖは、第二シャッタ部材82の先端部82ｈに向かう方向の力Ｖｙと、該力Ｖｙと垂直方向の力Ｖｘとに分けることができる。
【０１１４】
第二シャッタ部材82の先端部82ｈは、第一シャッタ部材81により直線Ｎ方向に力Ｖｙを受ける。更に、力Ｖｙは、接線Ｏ方向の力Ｖｙｘと、感光ドラム２の回転中心２ｂへ向かう力Ｖｙｙに分けることができる。
【０１１５】
このとき力Ｖｙｘは、第二シャッタ部材82の先端部82ｈが図14の矢印Ｄ方向へと働く力となる。このため第二シャッタ部材82は閉状態にスムーズに移動することができる。
【０１１６】
前記実施形態では、第二シャッタ部材52の付勢は、該第二シャッタ部材52の自重を用いる場合の一例について説明した。他に、図15に示すように、シャッタユニット150の第一シャッタ部材151に第二付勢手段となる捩りコイルバネからなるシャッタバネ153を設ける。シャッタバネ153は、第二シャッタ部材152を回動軸線Ｒを中心に図15の矢印ｒ２方向に回動させる方向に付勢力を作用させている。これにより第二シャッタ部材152はシャッタバネ153により付勢されて感光ドラム２の表面に沿って開状態と閉状態との間を移動する。
【０１１７】
前記実施形態では、感光体ユニット30と現像ユニット20とを有して構成したプロセスカートリッジからなるカートリッジ５に適用した一例について説明した。他に、感光体ユニット30のみからなるドラムカートリッジにおいても同様に適用出来る。
【０１１８】
ドラムシャッタとなるシャッタユニット50，80，150が感光ドラム２の表面上の被保護面２ｃを露出させる開状態に移動する際、及び移動した後に画像形成装置１本体にコンパクトに収納できるドラムカートリッジを提供することが出来る。
【符号の説明】
【０１１９】
２    …感光ドラム（像担持体）
32    …クリーニング枠体（枠体）
50    …シャッタユニット
51    …第一シャッタ部材
51ａ  …駆動側係合部（第一回動部）
51ｂ  …非駆動側係合部（第一回動部）
51ｃ〜51ｆ …係合部（第二回動部）
51ｇ  …第一保護部
52    …第二シャッタ部材
52ｃ〜52ｆ …係合部（第三回動部）
52ｇ  …第二保護部
52ｈ  …先端部
【図１】
0006418855.tif 000002
【図２】
0006418855.tif 000003
【図３】
0006418855.tif 000004
【図４】
0006418855.tif 000005
【図５】
0006418855.tif 000006
【図６】
0006418855.tif 000007
【図７】
0006418855.tif 000008
【図８】
0006418855.tif 000009
【図９】
0006418855.tif 000010
【図１０】
0006418855.tif 000011
【図１１】
0006418855.tif 000012
【図１２】
0006418855.tif 000013
【図１３】
0006418855.tif 000014
【図１４】
0006418855.tif 000015
【図１５】
0006418855.tif 000016